(57)【特許請求の範囲】
【請求項１】
電源からの入力をスイッチング素子でオン／オフすることによって直流電圧に変換し、固体発光素子を含む光源に変換後の直流電圧を印加する昇圧チョッパ回路と、
前記スイッチング素子のオン／オフを制御する制御回路と、
前記昇圧チョッパ回路の出力の異常を検知する異常検知回路とを備え、
前記制御回路は、一定の第１充電電流をコンデンサに供給する第１充電回路と、前記スイッチング素子のオフ時に前記コンデンサから放電させる放電回路と、を有し、
前記制御回路は、前記スイッチング素子がオンのときに前記コンデンサの充電電圧が閾値電圧以上になると、前記スイッチング素子をオフにするように構成されており、
調光レベルが小さくなるほど電流値が大きくなるような第２充電電流を前記コンデンサに供給する第２充電回路を、さらに備え、
前記コンデンサは、前記スイッチング素子がオンのときに、前記第１充電電流と前記第２充電電流との合成電流で充電され、
前記異常検知回路が異常有りと検知した場合は、前記異常検知回路が異常無しと検知した場合に比べて、前記第２充電電流を増加させるように前記第２充電回路が構成された、
ことを特徴とする点灯装置。
【請求項２】
請求項１に記載の点灯装置と、前記昇圧チョッパ回路によって直流電圧が印加される光源と、前記点灯装置及び前記光源を保持する器具本体と、を備えた、
ことを特徴とする照明装置。
【発明の詳細な説明】
【技術分野】
【０００１】
本発明は、点灯装置、及びそれを備える照明装置に関し、とくに、調光機能を有する点灯装置、及びそれを備える照明装置に関する。
【背景技術】
【０００２】
従来、力率改善回路と、降圧チョッパ回路と、制御回路と、調光信号処理回路とを備え、ＬＥＤ（Light Emitting Diode）負荷を点灯させる照明用ＬＥＤ電源装置があった（例えば特許文献１参照）。
【０００３】
力率改善回路は昇圧チョッパ回路であり、入力電圧を昇圧した一定電圧の直流電圧を発生する。降圧チョッパ回路は、力率改善回路の出力電圧を降圧して、ＬＥＤ負荷に印加する。調光信号処理回路は、ＰＷＭ（Pulse Width Modulation）信号よりなる調光信号を、調光信号のデューティに応じた電圧値の直流電圧に変換する。制御回路は、調光信号処理回路から出力される直流電圧の電圧値に応じて、降圧チョッパ回路のスイッチング素子のデューティを制御することで、降圧チョッパ回路の出力電圧を調光信号のデューティに応じた電圧値に制御する。これにより、照明用ＬＥＤ電源装置は、調光信号に応じた調光レベルでＬＥＤ負荷を点灯させる。
【先行技術文献】
【特許文献】
【０００４】
【特許文献１】特開２０１４−３２７４８号公報
【発明の概要】
【発明が解決しようとする課題】
【０００５】
特許文献１の照明用ＬＥＤ電源装置は、力率を向上させつつＬＥＤ負荷を調光点灯するために、力率改善回路（昇圧チョッパ回路）と降圧チョッパ回路との２つのコンバータ回路を備えているため、回路の部品数が増加するという問題があった。
【０００６】
本発明の目的は、従来よりも少ない部品数で力率の改善を図りつつ調光機能を実現することができる点灯装置、及びそれを備える照明装置を提供することにある。
【課題を解決するための手段】
【０００７】
本発明の一態様の点灯装置は、昇圧チョッパ回路と、制御回路と、異常検知回路とを備えている。前記昇圧チョッパ回路は、電源からの入力をスイッチング素子でオン／オフすることによって直流電圧に変換し、固体発光素子を含む光源に変換後の直流電圧を印加する。前記制御回路は、前記スイッチング素子のオン／オフを制御する。前記異常検知回路は、前記昇圧チョッパ回路の出力の異常を検知する。前記制御回路は、一定の第１充電電流をコンデンサに供給する第１充電回路と、前記スイッチング素子のオフ時に前記コンデンサから放電させる放電回路と、を有している。前記制御回路は、前記スイッチング素子がオンのときに前記コンデンサの充電電圧が閾値電圧以上になると、前記スイッチング素子をオフにするように構成されている。前記点灯装置は、調光レベルが小さくなるほど電流値が大きくなるような第２充電電流を前記コンデンサに供給する第２充電回路を、さらに備えている。前記コンデンサは、前記スイッチング素子がオンのときに、前記第１充電電流と前記第２充電電流との合成電流で充電される。前記異常検知回路が異常有りと検知した場合は、前記異常検知回路が異常無しと検知した場合に比べて、前記第２充電電流を増加させるように前記第２充電回路が構成されている。
【０００８】
本発明の一態様の照明装置は、前記点灯装置と、前記昇圧チョッパ回路によって直流電圧が印加される光源と、前記点灯装置及び前記光源を保持する器具本体と、を備える。
【発明の効果】
【０００９】
本発明によれば、従来よりも少ない部品数で力率の改善を図りつつ調光機能を実現することができる点灯装置、及びそれを備える照明装置を提供することができる。
【図面の簡単な説明】
【００１０】
【図１】図１は、本発明の一実施形態に係る点灯装置の回路図である。
【図２】図２は、本発明の一実施形態に係る照明装置の分解斜視図である。
【図３】図３Ａ〜図３Ｃは同上の点灯装置の各部の波形図である。図３Ａは、コンデンサの充電電圧の波形図である。図３Ｂは、スイッチング素子のゲート電圧の波形図である。図３Ｃはコイルに流れる電流の波形図である。
【図４】図４は、同上の点灯装置において、交流電源の半周期に、交流電源から流れる入力電流と昇圧チョッパ回路のコイルに流れる電流の波形図である。
【発明を実施するための形態】
【００１１】
以下に説明する実施形態は、本発明に係る点灯装置、及びそれを備える照明装置の一例にすぎない。本発明は、以下の実施形態に限定されず、以下の実施形態は、本発明の目的を達成できれば、設計等に応じて種々の変更が可能である。
【００１２】
（１）概要
本実施形態の点灯装置１０は、図１に示すように、昇圧チョッパ回路１２と、制御回路１３とを備えている。
【００１３】
昇圧チョッパ回路１２は、電源（図１では整流回路１１）からの入力をスイッチング素子Ｑ１でオン／オフすることによって直流電圧に変換する。昇圧チョッパ回路１２は、固体発光素子（図１では発光ダイオード２０１）を含む光源２０に変換後の直流電圧を印加する。
【００１４】
制御回路１３は、スイッチング素子Ｑ１のオン／オフを制御する。制御回路１３は、一定の第１充電電流Ｉ１をコンデンサＣ１に供給する第１充電回路１３１と、スイッチング素子Ｑ１のオフ時にコンデンサＣ１から放電させる放電回路１３２と、を有している。制御回路１３は、スイッチング素子Ｑ１がオンのときにコンデンサＣ１の充電電圧が閾値電圧Ｖ２以上になると、スイッチング素子Ｑ１をオフにする。
【００１５】
点灯装置１０は第２充電回路１４をさらに備えている。第２充電回路１４は、調光レベルに応じた電流値の第２充電電流Ｉ２をコンデンサＣ１に供給する。したがって、コンデンサＣ１は、スイッチング素子Ｑ１がオンのときに、第１充電電流Ｉ１と第２充電電流Ｉ２との合成電流で充電される。なお、合成電流の電流値は、第１充電電流Ｉ１の電流値と、第２充電電流Ｉ２の電流値とを足し合わせた電流値となる。
【００１６】
これにより、コンデンサＣ１は、一定の第１充電電流Ｉ１と、調光レベルに応じた電流値の第２充電電流Ｉ２との合成電流で充電されるから、スイッチング素子Ｑ１のオン時間が調光レベルによって変化する。したがって、第２充電回路１４を追加するだけで、昇圧チョッパ回路１２に調光機能を追加することができる。よって、昇圧チョッパ回路と降圧チョッパ回路とを備える従来よりも少ない部品数で力率の改善を図りつつ調光機能を実現することができる。なお、第２充電電流Ｉ２の電流値がゼロである場合、光源２０の光出力は定格出力となる。以下では、光源２０の光出力が定格出力となる状態を調光レベルが１００％の状態と定義する。また、光源２０の光出力が最小の状態、例えば光源２０が消灯する状態を、調光レベルが０％の状態と定義する。したがって、本実施形態では、調光レベルが小さくなるほど、スイッチング素子Ｑ１のオン時間が短くなるので、第２充電回路１４からコンデンサＣ１に供給される第２充電電流Ｉ２の電流値が大きくなる。
【００１７】
また、本実施形態の照明装置１は、点灯装置１０と、昇圧チョッパ回路１２によって直流電圧が印加される光源２０と、点灯装置１０及び光源２０を保持する器具本体５０（図２参照）と、を備える。
【００１８】
（２）詳細
以下、実施形態に係る点灯装置１０及び照明装置１について図１〜図４を参照して説明する。
【００１９】
（２．１）点灯装置について
（２．１．１）構成
本実施形態の点灯装置１０は、図１に示すように、昇圧チョッパ回路１２と、制御回路１３と、第２充電回路１４とを備えている。
【００２０】
また、本実施形態の点灯装置１０は、整流回路１１と、制御電源回路１６と、異常検知回路１７とを、さらに備えている。なお、整流回路１１、制御電源回路１６、及び異常検知回路１７は点灯装置１０に必須の構成ではなく、適宜省略が可能である。
【００２１】
整流回路１１は例えばダイオードのブリッジ回路からなる。整流回路１１は、商用交流電源のような交流電源２（例えばＡＣ１００／２００Ｖ，５０／６０Ｈｚの交流電源）からの入力電流を全波整流して、昇圧チョッパ回路１２に出力する。
【００２２】
昇圧チョッパ回路１２は、コイルＬ１と、スイッチング素子Ｑ１と、ダイオードＤ１と、平滑コンデンサＣ２とを備える。スイッチング素子Ｑ１は、例えばＮチャンネル型のＭＯＳＦＥＴ（Metal Oxide Semiconductor Field Effect transistor）である。スイッチング素子Ｑ１のドレイン電極はコイルＬ１の一端に電気的に接続されており、コイルＬ１の他端は整流回路１１の高電位側の出力端子に電気的に接続されている。スイッチング素子Ｑ１のソース電極は抵抗Ｒ１の一端に電気的に接続されており、抵抗Ｒ１の他端は回路のグランドに接続されている。スイッチング素子Ｑ１のゲート電極は制御回路１３の出力端に電気的に接続されている。
【００２３】
スイッチング素子Ｑ１のドレイン電極はダイオードＤ１のアノード電極に電気的に接続されており、ダイオードＤ１のカソード電極は平滑コンデンサＣ２の一端に電気的に接続されている。平滑コンデンサＣ２の他端は回路のグランドに接続されている。
【００２４】
平滑コンデンサＣ２の両端間には、光源２０と、電流検出用の抵抗Ｒ２とが電気的に直列に接続されている。光源２０は、直列に接続された複数個（例えば数十個）の発光ダイオード２０１で構成されている。
【００２５】
制御回路１３がスイッチング素子Ｑ１のＰＷＭ制御を行うことによって、昇圧チョッパ回路１２は、整流回路１１の出力電圧を昇圧した一定の直流電圧に変換することができ、昇圧チョッパ回路１２の出力電圧が光源２０に印加される。なお、光源２０は、数十個の発光ダイオード２０１の直列回路を有しており、昇圧チョッパ回路１２は、数十個の発光ダイオード２０１の順方向電圧の総和よりも高い電圧を光源２０に印加することによって、光源２０を点灯させる。また、昇圧チョッパ回路１２では、交流電源２からの入力電流が常に流れるので、回路の力率を改善することができる。
【００２６】
制御回路１３は、第１充電回路１３１と、放電回路１３２とを備えている。また本実施形態の制御回路１３は、誤差アンプ１３３と、コンパレータ１３４と、ＮＯＴゲート１３５と、定電圧源１３６とを、さらに備えている。
【００２７】
第１充電回路１３１は、コンデンサＣ１に直列に接続された定電流源からなる。第１充電回路１３１は、コンデンサＣ１に一定の第１充電電流Ｉ１を供給する。
【００２８】
放電回路１３２は、コンデンサＣ１に並列に接続されたスイッチＳＷ１からなる。スイッチＳＷ１の制御端子には、ＮＯＴゲート１３５の出力端が電気的に接続される。スイッチＳＷ１は、ＮＯＴゲート１３５の出力電圧の電圧レベルに応じてオン又はオフになる。ＮＯＴゲート１３５の出力電圧の電圧レベルがＨレベルになると、スイッチＳＷ１がオンになり、コンデンサＣ１に充電された電荷がスイッチＳＷ１を介して放電される。ＮＯＴゲート１３５の出力電圧の電圧レベルがＬレベルになると、スイッチＳＷ１がオフになり、コンデンサＣ１が充電される。
【００２９】
誤差アンプ１３３はオペアンプで実現されている。誤差アンプ１３３のマイナス側入力端子には抵抗Ｒ２の両端間に発生する電圧Ｖ１が入力される。誤差アンプ１３３のプラス側入力端子には、定電圧源１３６から一定の基準電圧Ｖrefが入力される。誤差アンプ１３３は、電圧Ｖ１と基準電圧Ｖrefとの差電圧に比例した大きさの閾値電圧Ｖ２を発生する。
【００３０】
コンパレータ１３４はオペアンプで実現されており、コンパレータ１３４のプラス側入力端子には誤差アンプ１３３から閾値電圧Ｖ２が入力される。コンパレータ１３４のマイナス側入力端子にはコンデンサＣ１の充電電圧Ｖ３が入力される。すなわち、コンパレータ１３４は、誤差アンプ１３３から入力される閾値電圧Ｖ２と、コンデンサＣ１の充電電圧Ｖ３との高低を比較する。コンパレータ１３４の出力端はスイッチング素子Ｑ１のゲート電極に電気的に接続されている。
【００３１】
ＮＯＴゲート１３５の入力端は、コンパレータ１３４の出力端に電気的に接続されている。ＮＯＴゲート１３５の出力端は、スイッチＳＷ１の制御端子に電気的に接続されている。
【００３２】
なお、本実施形態の制御回路１３は、第１充電回路１３１、放電回路１３２、誤差アンプ１３３、コンパレータ１３４、ＮＯＴゲート１３５、定電圧源１３６などの回路部品が集積化された力率改善用の集積回路で実現されている。
【００３３】
制御電源回路１６は、例えば昇圧チョッパ回路１２の出力電圧を降圧して一定の直流電圧を生成する。
【００３４】
第２充電回路１４は、調光制御回路１５と、抵抗Ｒ３とを備えている。抵抗Ｒ３の一端は、第１充電回路１３１とコンデンサＣ１との接続点に電気的に接続されている。抵抗Ｒ３の他端は調光制御回路１５の出力端に電気的に接続されている。調光制御回路１５は、例えば操作器３から、赤外光や電波などの無線信号で送信される調光信号を受信する受信機能を備えている。調光制御回路１５は、制御電源回路１６から入力される直流電圧の電圧値を、操作器３から受信した調光信号の表す調光レベルに応じた電圧値に変換して抵抗Ｒ３に出力する。これにより、第２充電回路１４から、調光レベルに応じた電流値の第２充電電流Ｉ２がコンデンサＣ１に供給される。したがって、コンデンサＣ１には、第１充電電流Ｉ１と第２充電電流Ｉ２とを足し合わせた合成電流が供給されることになる。
【００３５】
異常検知回路１７は、コンパレータ１７１と、抵抗Ｒ４〜Ｒ７とを備える。抵抗Ｒ４，Ｒ５の直列回路は、平滑コンデンサＣ２の両端間に電気的に接続されている。抵抗Ｒ６，Ｒ７の直列回路は、制御電源回路１６の出力端と、回路のグランドとの間に電気的に接続されている。コンパレータ１７１のプラス側入力端子には、昇圧チョッパ回路１２の出力電圧、つまり平滑コンデンサＣ２の両端電圧を抵抗Ｒ４，Ｒ５で分圧した電圧Ｖ４が入力される。コンパレータ１７１のマイナス側入力端子には、制御電源回路１６の出力電圧を抵抗Ｒ６，Ｒ７で分圧した一定の基準電圧Ｖ５が入力される。コンパレータ１７１は電圧Ｖ４と基準電圧Ｖ５との高低を比較しており、コンパレータ１７１の出力が調光制御回路１５に入力される。
【００３６】
本実施形態では、異常検知回路１７は、電圧Ｖ４が基準電圧Ｖ５より低くなると異常有りと検知し、電圧Ｖ４が基準電圧Ｖ５以上であれば異常無しと検知する。
【００３７】
例えば光源２０を構成する複数の発光ダイオード２０１の一部が短絡故障した場合、光源２０に流れる電流が増加し、それに応じて制御回路１３が昇圧チョッパ回路１２の出力電圧を低下させる。そして、昇圧チョッパ回路１２の出力電圧を分圧した電圧Ｖ４が基準電圧Ｖ５よりも低くなると、異常検知回路１７は異常有りと検知し、昇圧チョッパ回路１２の出力を抑制する動作を行う。
【００３８】
（２．１．２）動作
以下、点灯装置１０の動作について説明する。
【００３９】
まず、第２充電電流Ｉ２の電流値がゼロである場合、つまり調光レベルが１００％となる場合の点灯装置１０の動作について説明する。
【００４０】
抵抗Ｒ２の両端間には光源２０に流れる電流値に比例した電圧Ｖ１が発生しており、誤差アンプ１３３は、抵抗Ｒ２の両端間に発生する電圧Ｖ１と、基準電圧Ｖrefとの誤差に比例した閾値電圧Ｖ２を発生する。したがって、抵抗Ｒ２の両端間の電圧Ｖ１が、基準電圧Ｖrefに対して変動すると、それに応じて誤差アンプ１３３から入力される閾値電圧Ｖ２が変動することになる。つまり、光源２０の光出力が変動すると、それに応じて誤差アンプ１３３から入力される閾値電圧Ｖ２が変動することになる。
【００４１】
スイッチング素子Ｑ１がオンの状態では、スイッチＳＷ１がオフになり、第１充電電流Ｉ１と第２充電電流Ｉ２との合成電流によってコンデンサＣ１が充電されるので、コンデンサＣ１の両端間に発生する充電電圧Ｖ３が徐々に増加する。コンデンサＣ１の充電電圧Ｖ３が閾値電圧Ｖ２より大きくなると、コンパレータ１３４の出力電圧Ｖ６の電圧レベルはＬレベルになり、スイッチング素子Ｑ１がオフになる。また、コンパレータ１３４の出力電圧Ｖ６の電圧レベルがＬレベルになると、ＮＯＴゲート１３５の出力電圧の電圧レベルがＨレベルとなるので、スイッチＳＷ１がオンになり、コンデンサＣ１に充電された電荷がスイッチＳＷ１を介して放電する。
【００４２】
コンデンサＣ１に充電された電荷が放電することによって、コンデンサＣ１の充電電圧Ｖ３が閾値電圧Ｖ２よりも低くなると、コンパレータ１３４の出力電圧Ｖ６の電圧レベルがＨレベルになり、スイッチング素子Ｑ１がオンになる。また、コンパレータ１３４の出力電圧Ｖ６の電圧レベルがＨレベルになると、ＮＯＴゲート１３５の出力電圧の電圧レベルがＬレベルになり、スイッチＳＷ１がオフになる。このとき、第１充電電流Ｉ１と第２充電電流Ｉ２との合成電流によってコンデンサＣ１が充電され、コンデンサＣ１の充電電圧Ｖ３が増加する。
【００４３】
そして、コンデンサＣ１の充電電圧Ｖ３が誤差アンプ１３３から入力される閾値電圧Ｖ２より大きくなると、コンパレータ１３４の出力電圧Ｖ６の電圧レベルがＬレベルとなって、スイッチング素子Ｑ１がオフになる。また、コンパレータ１３４の出力電圧Ｖ６の電圧レベルがＬレベルになると、ＮＯＴゲート１３５の出力電圧の電圧レベルがＨレベルになり、スイッチＳＷ１がオンになるので、コンデンサＣ１に充電された電荷がスイッチＳＷ１を介して放電される。
【００４４】
点灯装置１０が上記の動作を繰り返すことで、スイッチング素子Ｑ１のオン／オフが周期的に繰り返され、また抵抗Ｒ２の両端間の電圧Ｖ１が一定の電圧値となるように、スイッチング素子Ｑ１のオン期間が調整される。
【００４５】
なお、上記の説明で、電圧等の２値間の比較において、「より大きく」としているところは、２値の一方が他方を超えている場合を意味する。ただし、これに限らず「より大きく」とは、２値の一方が他方を超えている場合、及び２値が等しい場合の両方を含む「以上」と同義であってもよい。つまり、２値が等しい場合を含むか否かは、基準値等の設定次第で任意に変更できるので、「より大きく」か「以上」かに技術上の差異はない。同様に、「より低く」は「以下」と同義であってもよい。
【００４６】
次に、調光制御回路１５によって光源２０の光出力を調光する場合の点灯装置１０の動作について図３及び図４を参照して説明する。
【００４７】
調光制御回路１５は、操作器３から受信した調光信号の表す調光レベルが小さいほど、抵抗Ｒ３に出力する電圧の電圧レベルを増加させる。すなわち、調光制御回路１５が操作器３から受信した調光信号の調光レベルが小さいほど、第２充電回路１４からコンデンサＣ１に供給される第２充電電流Ｉ２の電流値が大きくなる。
【００４８】
図３ＡはコンデンサＣ１の充電電圧Ｖ３の波形図である。図３Ｂは、スイッチング素子Ｑ１のゲート電極に印加されるゲート電圧、つまりコンパレータ１３４の出力電圧Ｖ６の波形図である。図３Ｃは昇圧チョッパ回路１２のコイルＬ１に流れる電流ＩＬ１の波形図である。図４は、交流電源２の半周期において、交流電源２から点灯装置１０に流れる入力電流Ｉ１０、及び昇圧チョッパ回路１２のコイルＬ１に流れる電流ＩＬ１の波形図である。
【００４９】
図３Ａ、図３Ｂ、図３Ｃにおいて実線で示される波形は、第２充電電流Ｉ２の電流値がゼロの場合、つまり調光レベルが１００％の場合の波形である。図３Ａ、図３Ｂ、図３Ｃにおいて点線で示される波形は、第２充電電流Ｉ２の電流値が、調光レベルが１００％よりも小さい場合の電流値であるときの波形である。なお、図３Ａ、図３、及び図３Ｃは、スイッチング素子Ｑ１が１回オンになる期間のみの波形を示している。また、図４の左側に示した交流電源２の半周期分の波形は、第２充電電流Ｉ２の電流値がゼロの場合、つまり調光レベルが１００％の場合の波形である。図４の右側に示した交流電源２の半周期分の波形は、第２充電電流Ｉ２の電流値が、調光レベルが１００％よりも小さい場合の電流値であるときの波形である。
【００５０】
調光制御回路１５が、調光レベルに応じた電流値の第２充電電流Ｉ２をコンデンサＣ１に供給した場合、第２充電電流Ｉ２がゼロの場合に比べて、コンデンサＣ１の充電電圧Ｖ３が閾値電圧Ｖ２に達するまでの時間が短くなる（図３Ａ参照）。これにより、図３Ｂに示すように、コンパレータ１３４の出力電圧Ｖ６がＨレベルとなる期間が短くなるので、スイッチング素子Ｑ１がオンとなる期間が短くなり、コイルＬ１に流れる電流ＩＬ１のピーク値が低下する（図３Ｃ参照）。したがって、図４に示すように、調光制御回路１５が、調光レベルに応じた電流値の第２充電電流Ｉ２をコンデンサＣ１に流した場合、第２充電電流Ｉ２がゼロの場合に比べて、交流電源２の半周期において入力電流Ｉ１０のピーク値が減少する。よって、光源２０の調光レベルが１００％よりも低下し、光源２０の光出力が低下した状態となる。
【００５１】
このように、第２充電回路１４が、調光レベルが小さくなるほど電流値が大きくなるような第２充電電流Ｉ２をコンデンサＣ１に供給することによって、調光レベルが小さくなるほど、スイッチング素子Ｑ１のオン期間を短くして、光源２０を調光することができる。
【００５２】
また本実施形態の点灯装置１０において、異常検知回路１７は、昇圧チョッパ回路１２の出力電圧を分圧した電圧Ｖ４と基準電圧Ｖ５との高低を比較することによって、昇圧チョッパ回路１２の出力の異常を検知している。
【００５３】
すなわち、複数の発光ダイオード２０１の一部が短絡故障するなどして、昇圧チョッパ回路１２の出力電圧が異常判定レベルよりも低下し、電圧Ｖ４が基準電圧Ｖ５より低くなると、コンパレータ１７１の出力の電圧レベルがＬレベルになる。つまり、異常検知回路１７は異常有りと検知する。
【００５４】
調光制御回路１５は、コンパレータ１７１の出力を監視しており、コンパレータ１７１の出力の電圧レベルがＬレベルになると、第２充電電流Ｉ２の電流値を最大にする。これにより、スイッチング素子Ｑ１のオン期間が最小になり、昇圧チョッパ回路１２の出力電圧が最小になるので、光源２０に過電流が流れ続けるのを抑制することができる。
【００５５】
このように、異常検知回路１７が異常有りと検知した場合は、異常検知回路１７が異常無しと検知した場合に比べて、第２充電回路１４が第２充電電流Ｉ２を増加させているので、昇圧チョッパ回路１２の出力電圧が低減される。したがって、昇圧チョッパ回路１２の出力が異常となった場合に光源２０を保護することができる。
【００５６】
（２．２）照明装置
次に、本実施形態の照明装置１について図１及び図２を参照して説明する。以下の説明では、図２において「上」、「下」の矢印で示す通りに各方向を規定する。ただし、これらの方向は照明装置１の設置方向を規定する趣旨ではない。図２中の各方向を示す矢印は説明のために表記しているに過ぎず、実体を伴わない。
【００５７】
本実施形態の照明装置１は、図１に示すように、上記した点灯装置１０と、点灯装置１０から電流が供給される光源２０と、器具本体５０（図２参照）とを備えている。
【００５８】
本実施形態の照明装置１は、造営材（例えば天井仕上げ材）に直付けされる形態の照明器具（いわゆるシーリングライト）である。
【００５９】
器具本体５０は、図２に示すように、ベース部材５１と、内カバー５３と、外カバー５４と、外枠５５とを備えている。
【００６０】
ベース部材５１は、鋼板などの金属板によって、おおよそ円盤状に形成されている。ベース部材５１は、円筒状の引掛シーリングアダプタ５６に着脱可能な状態で取り付けられる。引掛シーリングアダプタ５６は住宅の天井仕上げ材に配設されている引掛シーリングローゼットに取り付けられる。したがって、ベース部材５１は引掛シーリングアダプタ５６及び引掛シーリングローゼットを介して天井仕上げ材に取り付けられる。
【００６１】
ベース部材５１には、複数（図示例では４つ）の光源モジュール５２が取り付けられている。４つの光源モジュール５２の各々は、平面視の形状がリング状の板材が周方向において４分割されたような形状の基板５２１を備えている。４つの光源モジュール５２は、ベース部材５１の下面に周方向に並ぶように取り付けられる。各光源モジュール５２の基板５２１の下面には複数の発光ダイオード２０１が実装されている。４つの光源モジュール５２にそれぞれ実装された複数の発光ダイオード２０１は直列又は並列に接続されており、４つの光源モジュール５２にそれぞれ実装された複数の発光ダイオード２０１で光源２０が構成されている。
【００６２】
ベース部材５１の中央には、外周部に比べて下向きに突出する円筒状の突出部５１１が設けられている。突出部５１１の上面には点灯装置１０が取り付けられており、点灯装置１０から各光源モジュール５２に実装された複数の発光ダイオード２０１に電流が供給される。なお、突出部５１１はベース部材５１の外周部に比べて下向きに突出しているので、ベース部材５１が天井仕上げ材に取り付けられた状態でも、点灯装置１０が天井仕上げ材と干渉することはない。
【００６３】
内カバー５３は、アクリル樹脂やポリカーボネート樹脂などの透光性を有する合成樹脂により、円環状に形成されている。内カバー５３は、径方向における断面形状が、下向きに突出する台形状となるように形成されており、内カバー５３は、４つの光源モジュール５２を下側から覆うようにしてベース部材５１に取り付けられている。内カバー５３は４つの光源モジュール５２をベース部材５１との間で挟んでおり、これによって４つの光源モジュール５２がベース部材５１に固定されている。
【００６４】
外カバー５４は、アクリル樹脂等の透光性を有する合成樹脂に、拡散材が混入された成形体で構成されている。外カバー５４は、内カバー５３を下側から覆うようにしてベース部材５１に取り付けられる。
【００６５】
外枠５５は、スチレン樹脂などの合成樹脂により形成されている。外枠５５は、円筒形状の枠本体５５１と、枠本体５５１の下端から径方向に沿って外向きに突出する円環状の鍔部５５２とを有している。外枠５５は、枠本体５５１の内側にベース部材５１を収容した状態で、ベース部材５１に固定されている。また、ベース部材５１の下側に外カバー５４が取り付けられた状態では、外カバー５４も枠本体５５１の内側に配置される。
【００６６】
このように、本実施形態の照明装置１では、器具本体５０に、点灯装置１０と、複数の光源モジュール５２からなる光源２０とが保持されている。ここで、点灯装置１０から各光源モジュール５２に実装された複数の発光ダイオード２０１に電流が供給されると、複数の発光ダイオード２０１が発光し、複数の発光ダイオード２０１から放射された光は内カバー５３と外カバー５４とを透過して外部に照射される。
【００６７】
（３）変形例
以下に、上記実施形態の変形例に係る点灯装置及び照明装置を列記する。なお、以下に説明する変形例の各構成は、上記実施形態で説明した各構成と適宜組み合わせて適用可能である。
【００６８】
本実施形態では光源２０が直列に接続された複数の発光ダイオード２０１を有しているが、発光ダイオード２０１の数は１個でもよく、点灯装置１０の仕様等に応じて発光ダイオード２０１の数は適宜変更が可能である。また、光源２０は、複数の発光ダイオード２０１が直列に接続された光源モジュール５２を複数備えているが、複数の光源モジュール５２は直列に接続されても、並列に接続されてもよい。また、光源２０は固体発光素子として発光ダイオード２０１を備えているが、固体発光素子は発光ダイオードに限定されず、有機ＥＬ（Electro Luminescence）素子でもよい。
【００６９】
また、昇圧チョッパ回路１２がＭＯＳＦＥＴからなるスイッチング素子Ｑ１を備えているが、スイッチング素子Ｑ１はＭＯＳＦＥＴに限定されず、バイポーラトランジスタでもよい。
【００７０】
また、異常検知回路１７は、昇圧チョッパ回路１２の出力電圧に基づいて異常の有無を検知しているが、昇圧チョッパ回路１２から光源２０に流れる電流が基準電流を超えると異常有りと検知してもよい。また、異常検知回路１７は、点灯装置１０を構成する回路部品（例えばスイッチング素子Ｑ１など）の温度、又は光源２０を構成する発光ダイオード２０１の温度が基準温度を超えると、異常有りと検知してもよい。
【００７１】
また、器具本体５０はベース部材５１と内カバー５３と外カバー５４と外枠５５とを備えているが、器具本体５０の形態は設計などに応じて適宜変更が可能である。
【００７２】
（４）効果
以上説明したように、第１の態様の点灯装置１０は、昇圧チョッパ回路１２と、制御回路１３とを備える。昇圧チョッパ回路１２は、電源（例えば交流電源２）からの入力をスイッチング素子Ｑ１でオン／オフすることによって直流電圧に変換し、固体発光素子（例えば発光ダイオード２０１）を含む光源２０に変換後の直流電圧を印加する。制御回路１３は、スイッチング素子Ｑ１のオン／オフを制御する。制御回路１３は、一定の第１充電電流Ｉ１をコンデンサＣ１に供給する第１充電回路１３１と、スイッチング素子Ｑ１のオフ時にコンデンサＣ１から放電させる放電回路１３２と、を有している。制御回路１３は、スイッチング素子Ｑ１がオンのときにコンデンサＣ１の充電電圧Ｖ３が閾値電圧Ｖ２以上になると、スイッチング素子Ｑ１をオフにするように構成されている。また、第１の態様の点灯装置１０は第２充電回路１４をさらに備えている。第２充電回路１４は、調光レベルに応じた電流値の第２充電電流Ｉ２をコンデンサＣ１に供給する。コンデンサＣ１は、スイッチング素子Ｑ１がオンのときに、第１充電電流Ｉ１と第２充電電流Ｉ２との合成電流で充電される。
【００７３】
これにより、コンデンサＣ１は、一定の第１充電電流Ｉ１と、調光レベルに応じた電流値の第２充電電流Ｉ２との合成電流で充電されるから、スイッチング素子Ｑ１のオン時間が調光レベルによって変化する。したがって、調光レベルに応じた電流値の第２充電電流Ｉ２をコンデンサＣ１に供給する第２充電回路１４を追加するだけで、昇圧チョッパ回路１２に調光機能を追加することができる。よって、昇圧チョッパ回路と降圧チョッパ回路とを備える場合に比べて、力率が改善された調光機能を有する回路の部品数を低減できる。
【００７４】
また、本実施形態の点灯装置１０では、第１充電回路１３１、放電回路１３２、誤差アンプ１３３、コンパレータ１３４、ＮＯＴゲート１３５、定電圧源１３６などの回路部品が集積化された集積回路で制御回路１３が実現されている。したがって、昇圧チョッパ回路１２を制御するために点灯装置１０が元々備えている力率改善用の集積回路（制御回路１３）と外付けのコンデンサＣ１とに、第２充電回路１４を追加するだけで、点灯装置１０に調光機能を追加することができる。これにより、昇圧チョッパ回路と降圧チョッパ回路とを備える場合に比べて、力率が改善された調光機能を有する回路の部品数を低減できる。
【００７５】
また、第２の態様の点灯装置１０は、第１の態様において、昇圧チョッパ回路１２の出力の異常を検知する異常検知回路１７を、さらに備えてもよい。異常検知回路１７が異常有りと検知した場合は、異常検知回路１７が異常無しと検知した場合に比べて、第２充電電流Ｉ２を増加させるように第２充電回路１４が構成されてもよい。
【００７６】
これにより、異常検知回路１７が異常有りと検知した場合、第２充電回路１４が第２充電電流Ｉ２を増加させることで、スイッチング素子Ｑ１のオン時間が短くなるから、昇圧チョッパ回路１２の出力電圧を低下させることができ、光源２０を保護できる。
【００７７】
また、本実施形態の点灯装置１０では、第１充電回路１３１、放電回路１３２、誤差アンプ１３３、コンパレータ１３４、ＮＯＴゲート１３５、定電圧源１３６などの回路部品が集積化された集積回路で制御回路１３が実現されている。したがって、昇圧チョッパ回路１２を制御するために点灯装置１０が元々備えている力率改善用の集積回路（制御回路１３）を変更することなく、異常発生時に光源２０を保護する機能を点灯装置１０に追加することができる。
【００７８】
また、第３の態様の照明装置１は、第１又は第２の態様の点灯装置１０と、昇圧チョッパ回路１２によって直流電圧が印加される光源２０と、点灯装置１０及び光源２０を保持する器具本体５０と、を備えている。
【００７９】
この照明装置１によれば、昇圧チョッパ回路と降圧チョッパ回路とを備える場合に比べて、力率が改善された調光機能を有する回路の部品数を低減できる。
【符号の説明】
【００８０】
１  照明装置
２  交流電源（電源）
１０  点灯装置
１２  昇圧チョッパ回路
１３  制御回路
１３１  第１充電回路
１３２  放電回路
１４  第２充電回路
１７  異常検知回路
２０  光源
２０１  発光ダイオード（固体発光素子）
５０  器具本体
Ｃ１  コンデンサ
Ｉ１  第１充電電流
Ｉ２  第２充電電流
Ｖ２  閾値電圧
Ｑ１  スイッチング素子
【図１】
0006757906.tif 000002
【図２】
0006757906.tif 000003
【図３】
0006757906.tif 000004
【図４】
0006757906.tif 000005